(57)【要約】【課題】合成画像出力装置で、静止画上の任意の物体を切り出して移動合成し動画表示する場合に、背景画像についても明確に再現した合成動画像を作成する。【解決手段】撮影によって得られた複数枚の静止元画像１２ｂ１ａ，１２ｂ１ｂ，１２ｂ１ｃに基づき、その各元画像１２ｂ１ａ〜１２ｂ１ｃ内で変化する部分画像（移動画像Ｍａ，Ｍｂ，Ｍｃ）が抽出されると共に、この第１〜第３の元画像１２ｂ１ａ〜１２ｂ１ｃ同士で前記変化部分画像（移動画像Ｍａ〜Ｍｃ）が存在しない領域の部分背景画像が合成されて完全な背景画像が作成され、この背景画像に対して、前記各変化部分画像（移動画像Ｍａ〜Ｍｃ）の位置およびその移動方向Ｑに応じて設定された途中（中間）の位置に、当該移動画像Ｍが合成されて途中（中間）画像１２ｂ６が作成され、第１〜第３元画像１２ｂ１ａ〜１２ｂ１ｃと時間順に組み合わされて順次表示されることで、合成動画像表示される。【選択図】    図８
2005020607.tif 000002
【特許請求の範囲】
【請求項１】
複数の画像を取得する画像取得手段と、
この画像取得手段により取得された複数の画像の中から移動している物体の画像を抽出する移動画像抽出手段と、
この移動画像抽出手段により抽出された移動物体の画像について、前記画像取得手段により取得された背景画像上での移動方向を設定する移動方向設定手段と、
前記画像取得手段により取得された複数の画像に基づき当該画像の背景画像を合成して作成する背景画像作成手段と、
この背景画像作成手段により作成された背景画像に対して、前記移動画像抽出手段により抽出された移動物体の画像を、前記移動方向設定手段により設定された移動方向に応じて合成する移動画像合成手段と、
この移動画像合成手段により背景画像に移動画像の合成された合成画像を出力する画像出力手段と、
を備えたことを特徴とする合成画像出力装置。
【請求項２】
前記移動画像合成手段は、
前記移動方向設定手段により設定された移動方向に沿った補間位置を指定する補間位置指定手段を有し、
前記背景画像作成手段により作成された背景画像上の前記補間位置指定手段により指定された補間位置に対して、前記移動画像抽出手段により抽出された移動物体の画像を合成する、
ことを特徴とする請求項１に記載の合成画像出力装置。
【請求項３】
前記移動画像合成手段は、
前記移動方向設定手段により設定された移動方向に沿った複数の補間位置を順次指定する補間位置指定手段と、
この補間位置指定手段により前記移動方向に沿った複数の補間位置が順次指定される毎に、当該補間位置およびその位置での移動方向に応じた前記移動物体の中間変形画像を、前記移動画像抽出手段により前記複数の画像の中からそれぞれ抽出された移動物体の各画像に基づき作成する中間画像作成手段とを有し、
この中間画像作成手段により作成された前記移動物体の中間変形画像を、前記背景画像作成手段により作成された背景画像上の前記補間位置指定手段により指定された補間位置に対して合成する、
ことを特徴とする請求項１に記載の合成画像出力装置。
【請求項４】
さらに、
画像を撮影する画像撮影手段を備え、
前記画像取得手段は、前記画像撮影手段により撮影される画像に基づき複数の画像を取得する、
ことを特徴とする請求項１乃至請求項３の何れか１項に記載の合成画像出力装置。
【請求項５】
前記画像取得手段は、
前記画像撮影手段により撮影されている画像を任意のタイミングで取得する画像取得手段と、
この画像取得手段による画像の取得よりも後で、前記画像撮影手段により撮影されている画像上の変化部分を抽出し、当該変化部分により隠れていた撮影画像の背景部分が現れたタイミングでその撮影画像を取得する次画像取得手段とを有する、
ことを特徴とする請求項４に記載の合成画像出力装置。
【請求項６】
前記画像取得手段は、
前記画像撮影手段により撮影されている画像を取得する画像取得手段と、
この画像取得手段による画像の取得よりも後で、前記画像撮影手段により撮影されている画像上の変化部分を抽出し、当該変化部分により隠れていた撮影画像の背景部分が現れたタイミングでその撮影画像の取得を指示する次画像取得指示手段とを有する、
ことを特徴とする請求項４に記載の合成画像出力装置。
【請求項７】
前記画像出力手段は、合成画像を表示する表示部を備えた画像表示手段であり、
さらに、
この画像表示手段による表示部の解像度に応じて、前記画像取得手段により取得された複数の画像それぞれの少なくとも画素数を減少変換する画像変換手段を備え、
前記移動画像抽出手段は、前記画像変換手段により画素数の変換された複数の画像の中から移動している物体の画像を抽出し、
前記背景画像作成手段は、前記画像変換手段により画素数の変換された複数の画像に基づき当該画像の背景画像を合成して作成し、
さらに、
外部表示装置と、
この外部表示装置に前記画像取得手段により取得された複数の画像を送信する画像送信手段とを備え、
前記外部表示装置は、
前記画像送信手段により送信された複数の画像を受信する画像受信手段と、
この画像受信手段により受信された複数の画像の中から移動している物体の画像を抽出する外部の移動画像抽出手段と、
この移動画像抽出手段により抽出された移動物体の画像について、前記画像受信手段により受信された背景画像上での移動方向を設定する外部の移動方向設定手段と、
前記画像受信手段により受信された複数の画像に基づき当該画像の背景画像を合成して作成する外部の背景画像作成手段と、
この背景画像作成手段により作成された背景画像に対して、前記外部の移動画像抽出手段により抽出された移動物体の画像を、前記外部の移動方向設定手段により設定された移動方向に応じて合成する外部の移動画像合成手段と、
この移動画像合成手段により背景画像に移動画像の合成された合成画像を前記画像表示手段の表示部より解像度の高い表示部に表示する外部の画像表示手段と、
を備えたことを特徴とする請求項１乃至請求項６の何れか１項に記載の合成画像出力装置。
【請求項８】
画像を撮影する撮影装置と、この撮影装置とは別体の画像処理装置と、前記撮影装置と画像処理装置とを接続する接続装置とからなる合成画像出力装置であって、
前記撮影装置は、
画像を撮影する画像撮影手段と、
この画像撮影手段により撮影される画像に基づき複数の画像を取得する画像取得手段と、
この画像取得手段により取得された複数の画像を前記画像処理装置へ送信する画像送信手段と、
前記画像処理装置から送信された合成画像を前記接続装置を介して受信する合成画像受信手段と、
この合成画像受信手段により受信された合成画像を表示する表示手段とを備え、
前記画像処理装置は、
前記撮影装置から送信された複数の画像を前記接続装置を介して受信する画像受信手段と、
この画像受信手段により受信された複数の画像の中から移動している物体の画像を抽出する移動画像抽出手段と、
この移動画像抽出手段により抽出された移動物体の画像について、前記画像受信手段により受信された背景画像上での移動方向を設定する移動方向設定手段と、
前記画像受信手段により受信された複数の画像に基づき当該画像の背景画像を合成して作成する背景画像作成手段と、
この背景画像作成手段により作成された背景画像に対して、前記移動画像抽出手段により抽出された移動物体の画像を、前記移動方向設定手段により設定された移動方向に応じて合成する移動画像合成手段と、
この移動画像合成手段により背景画像に移動画像の合成された合成画像を前記撮影装置に送信する合成画像送信手段と、
を備えたことを特徴とする合成画像出力装置。
【請求項９】
コンピュータを制御して合成画像を出力するための合成画像出力処理プログラムであって、
前記コンピュータを、
複数の画像を取得する画像取得手段、
この画像取得手段により取得された複数の画像の中から移動している物体の画像を抽出する移動画像抽出手段、
この移動画像抽出手段により抽出された移動物体の画像について、前記画像取得手段により取得された背景画像上での移動方向を設定する移動方向設定手段、
前記画像取得手段により取得された複数の画像に基づき当該画像の背景画像を合成して作成する背景画像作成手段、
この背景画像作成手段により作成された背景画像に対して、前記移動画像抽出手段により抽出された移動物体の画像を、前記移動方向設定手段により設定された移動方向に応じて合成する移動画像合成手段、
この移動画像合成手段により背景画像に移動画像の合成された合成画像を出力する画像出力手段、
として機能させるようにしたコンピュータ読み込み可能な合成画像出力処理プログラム。
【請求項１０】
前記移動画像合成手段は、
前記移動方向設定手段により設定された移動方向に沿った補間位置を指定する補間位置指定手段を有し、
前記背景画像作成手段により作成された背景画像上の前記補間位置指定手段により指定された補間位置に対して、前記移動画像抽出手段により抽出された移動物体の画像を合成する、
ことを特徴とする請求項９に記載のコンピュータ読み込み可能な合成画像出力処理プログラム。
【請求項１１】
前記移動画像合成手段は、
前記移動方向設定手段により設定された移動方向に沿った複数の補間位置を順次指定する補間位置指定手段と、
この補間位置指定手段により前記移動方向に沿った複数の補間位置が順次指定される毎に、当該補間位置およびその位置での移動方向に応じた前記移動物体の中間変形画像を、前記移動画像抽出手段により前記複数の画像の中からそれぞれ抽出された移動物体の各画像に基づき作成する中間画像作成手段とを有し、
この中間画像作成手段により作成された前記移動物体の中間変形画像を、前記背景画像作成手段により作成された背景画像上の前記補間位置指定手段により指定された補間位置に対して合成する、
ことを特徴とする請求項９に記載のコンピュータ読み込み可能な合成画像出力処理プログラム。
【発明の詳細な説明】
【０００１】
【発明の属する技術分野】
本発明は、撮影などによって得られた静止画像に基づき合成画像を生成して出力するための合成画像出力装置および合成画像出力処理プログラムに関する。
【０００２】
【従来の技術】
従来、カメラなどにより撮影された静止画像を動画として表示させるためには、一定時間間隔で撮影した複数枚の静止画像を連続して再生表示させることにより、コマ送り的な動画表示を行っていた。このような静止画像を連続表示させて動画としての再生表示を行うときに、なめらかな動きの画像として表示させたい場合には、短い時間間隔で多数の静止画像を撮影しこれを連続再生する必要がある。
【０００３】
従ってこの場合には、多数の静止画像を記憶保持する必要があり、画像メモリの多くの領域を占有してしまう。
【０００４】
一方、任意の静止画像について、当該静止画像に含まれる物体などの部分画像を切り出すのと共に、当該物体の静止画像上での移動経路・大きさ・回転角度などをユーザにより指定するか、あるいは自動計算し、この静止画像に対して前記切り出した部分画像を連続的に合成して出力することで、多数の静止画像を予め記憶保持する必要なく、擬似的な動画を再生表示するようにした動画作成装置が考えられている（例えば、特許文献１参照。）。
【０００５】
【特許文献１】
特開平１１−１８５０５１号公報
【０００６】
【発明が解決しようとする課題】
しかしながら、このような従来の動画作成装置では、静止画像から切り出した任意の物体について当該静止画像上で移動させながら合成出力することで、簡易な動画像を作成して表示できるものの、切り出した部分画像の領域に対応した背景の画像について明確に再現した合成画像を作成することはできない。
【０００７】
本発明は、前記のような問題に鑑みてなされたもので、静止画上の任意の物体を切り出して移動合成し動画表示する場合に、背景画像についても明確に再現した合成画像を作成することが可能になる合成画像出力装置および合成画像出力処理プログラムを提供することを目的とする。
【０００８】
【課題を解決するための手段】
本発明の請求項１に係る合成画像出力装置では、画像取得手段によって複数の画像が取得されると、この取得された複数の画像の中から移動している物体の画像が移動画像抽出手段によって抽出され、この抽出された移動物体の画像について、移動方向設定手段によって前記画像取得手段により取得された背景画像上での移動方向が設定される。そして、背景画像作成手段によって前記画像取得手段により取得された複数の画像に基づき当該画像の背景画像が合成されて作成され、この背景画像に対して、前記移動画像抽出手段により抽出された移動物体の画像が、前記移動方向設定手段により設定された移動方向に応じて移動画像合成手段によって合成される。そして、この移動画像合成手段により背景画像に移動画像の合成された合成画像が画像出力手段によって出力される。
【０００９】
これによれば、複数の静止画像に基づき完全な背景画像を合成して作成し、これに設定された移動方向に応じて移動物体の画像を合成して、擬似的な合成動画像を作成表示できることになる。
【００１０】
本発明の請求項２に係る合成画像出力装置は、前記請求項１に係る合成画像出力装置にあって、前記移動画像合成手段では、補間位置指定手段によって前記移動方向設定手段により設定された移動方向に沿った補間位置が指定され、前記背景画像作成手段により作成された背景画像上の前記補間位置指定手段により指定された補間位置に対して、前記移動画像抽出手段により抽出された移動物体の画像が合成される。
【００１１】
これによれば、設定された移動方向に沿った背景画像上の補間位置に対して移動物体の画像を合成し、擬似的な合成動画像として作成表示できることになる。
【００１２】
また、本発明の請求項３に係る合成画像出力装置は、前記請求項１に係る合成画像出力装置にあって、前記移動画像合成手段では、補間位置指定手段によって前記移動方向設定手段により設定された移動方向に沿った複数の補間位置が順次指定され、この補間位置指定手段により前記移動方向に沿った複数の補間位置が順次指定される毎に、当該補間位置およびその位置での移動方向に応じた前記移動物体の中間変形画像が、中間画像作成手段によって前記移動画像抽出手段により前記複数の画像の中からそれぞれ抽出された移動物体の各画像に基づき作成される。そして、この中間画像作成手段により作成された前記移動物体の中間変形画像は、前記背景画像作成手段により作成された背景画像上の前記補間位置指定手段により指定された補間位置に対して合成される。
【００１３】
これによれば、設定された移動方向に沿った背景画像上の複数の補間位置に対して、順次当該補間位置およびその位置での移動方向に応じた移動物体の中間変形画像を作成して合成し、よりリアルに移動物体が移動する擬似的な合成動画像として作成表示できることになる。
【００１４】
本発明の請求項４に係る合成動画像出力装置は、前記請求項１乃至請求項３の何れか１項に係る合成画像出力装置にあって、さらに、画像を撮影する画像撮影手段が備えられ、前記画像取得手段では、前記画像撮影手段により撮影される画像に基づいて複数の画像が取得される。
【００１５】
これによれば、複数の撮影静止画像に基づいて完全な背景画像を合成して作成し、これに設定された移動方向に応じて移動物体の画像を合成して、擬似的な合成動画像を作成表示できることになる。
【００１６】
本発明の請求項５に係る合成画像出力装置は、前記請求項４に係るの合成画像出力装置であって、前記画像取得手段では、前記画像撮影手段により撮影されている画像が任意のタイミングで取得されると共に、この任意画像取得の後、前記画像撮影手段により撮影されている画像上の変化部分が抽出され、当該変化部分により隠れていた撮影画像の背景部分が現れたタイミングで次画像取得手段によってその撮影画像が次画像として取得される。
【００１７】
これによれば、合成動画像作成のために必要な完全な背景画像を合成作成するための複数の撮影画像を最適なタイミングで取得できることになる。
【００１８】
本発明の請求項６に係る合成画像出力装置は、前記請求項４に係る合成画像出力装置にあって、前記画像取得手段では、前記画像撮影手段により撮影されている画像が取得されると共に、この画像取得の後、前記画像撮影手段により撮影されている画像上の変化部分が抽出され、当該変化部分により隠れていた撮影画像の背景部分が現れたタイミングで次画像取得指示手段によってその撮影画像の次取得が指示される。
【００１９】
これによれば、合成動画像作成のために必要な完全な背景画像を合成作成するための複数の撮影画像を、最適なタイミングで取得するための操作指示が得られることになる。
【００２０】
本発明の請求項７に係る合成画像出力装置では、前記請求項１乃至請求項６の何れか１項に係る合成画像出力装置であって、画像出力手段で合成画像を表示する表示部の解像度に応じて、画像取得手段により取得された複数の画像それぞれの少なくとも画素数が画像変換手段によって減少変換され、前記移動画像抽出手段は、前記画像変換手段により画素数の変換された複数の画像の中から移動している物体の画像を抽出し、前記背景画像作成手段は、前記画像変換手段により画素数の変換された複数の画像に基づき当該画像の背景画像を合成して作成する。そして、外部表示装置と、この外部表示装置に前記画像取得手段により取得された複数の画像を送信する画像送信手段とが備えられ、この外部表示装置では、前記画像送信手段により送信された複数の画像を受信する画像受信手段と、この画像受信手段により受信された複数の画像の中から移動している物体の画像を抽出する外部の移動画像抽出手段と、この移動画像抽出手段により抽出された移動物体の画像について、前記画像受信手段により受信された背景画像上での移動方向を設定する外部の移動方向設定手段と、前記画像受信手段により受信された複数の画像に基づき当該画像の背景画像を合成して作成する外部の背景画像作成手段と、この背景画像作成手段により作成された背景画像に対して、前記外部の移動画像抽出手段により抽出された移動物体の画像を、前記外部の移動方向設定手段により設定された移動方向に応じて合成する外部の移動画像合成手段と、この移動画像合成手段により背景画像に移動画像の合成された合成画像を前記画像表示手段の表示部より解像度の高い表示部に表示する外部の画像表示手段とが備えられる。
【００２１】
これによれば、装置本体側ではその表示部の解像度に応じて画素数を減少変換した複数の画像に基づいて負担の軽い処理で擬似的動画像を作成表示でき、しかも、外部表示装置には画像取得時のままの画素数の画像を送って擬似的動画像を高画質に作成表示できることになる。
【００２２】
本発明の請求項８に係る合成画像出力装置は、画像を撮影する撮影装置と、この撮影装置とは別体の画像処理装置と、前記撮影装置と画像処理装置とを接続する接続装置とからなる合成画像出力装置であって、
前記撮影装置は、画像を撮影する画像撮影手段と、この画像撮影手段により撮影される画像に基づき複数の画像を取得する画像取得手段と、この画像取得手段により取得された複数の画像を前記画像処理装置へ送信する画像送信手段と、前記画像処理装置から送信された合成画像を前記接続装置を介して受信する合成画像受信手段と、この合成画像受信手段により受信された合成画像を表示する表示手段とを備え、
前記画像処理装置は、前記撮影装置から送信された複数の画像を前記接続装置を介して受信する画像受信手段と、この画像受信手段により受信された複数の画像の中から移動している物体の画像を抽出する移動画像抽出手段と、この移動画像抽出手段により抽出された移動物体の画像について、前記画像受信手段により受信された背景画像上での移動方向を設定する移動方向設定手段と、前記画像受信手段により受信された複数の画像に基づき当該画像の背景画像を合成して作成する背景画像作成手段と、この背景画像作成手段により作成された背景画像に対して、前記移動画像抽出手段により抽出された移動物体の画像を、前記移動方向設定手段により設定された移動方向に応じて合成する移動画像合成手段と、この移動画像合成手段により背景画像に移動画像の合成された合成画像を前記撮影装置に送信する合成画像送信手段とを備えたことを特徴とする。
【００２３】
これによれば、撮影装置で複数の静止画像を撮影し、接続装置を介して別体の画像処理装置に接続するだけで、当該画像処理装置の側で複数の撮影静止画像に基づいた完全な背景画像をベースとする擬似的動画像が作成されると共に、これを撮影装置の側で表示して見ることができる。
【００２４】
【発明の実施の形態】
以下、図面を参照して本発明の実施の形態について説明する。
【００２５】
図１は、本発明の実施形態に係る合成画像出力装置としての端末装置１０の電子回路の構成を示すブロック図である。
【００２６】
本実施形態における端末装置１０は、例えばデジタルカメラ付き携帯電話、デジタルカメラ付き携帯機器（ＰＤＡ）、デジタルカメラそのものなど、撮影画像を処理可能な何れの種類の端末装置１０であってもよい。
【００２７】
この端末装置１０の電子回路には、ＣＰＵ（ｃｅｎｔｒａｌ  ｐｒｏｃｅｓｓｉｎｇ  ｕｎｉｔ）１１が備えられる。
【００２８】
ＣＰＵ１１は、メモリ１２内に予め記憶された端末制御プログラム、あるいはＣＤ−ＲＯＭやＲＯＭカードなどの外部記録媒体１３から記録媒体読取部１４を介して前記メモリ１２に読み込まれた端末制御プログラム、あるいはインターネットＮ上のＷｅｂサーバ（この場合はプログラムサーバ）から電送制御部１５を介して前記メモリ１２に読み込まれた端末制御プログラムに応じて、回路各部の動作を制御するもので、前記メモリ１２に記憶された端末制御プログラムは、キーやタッチパネルからなる入力部１６からのユーザ操作に応じた入力信号、あるいは画像入力部１７ａを介してデジタルカメラ（部）２１から入力される画像信号、あるいは電送制御部１５を介して接続されるインターネットＮ上の各Ｗｅｂサーバ３０との通信信号、あるいは近距離通信部（クレードルを含む）１８を介して接続されるユーザ端末（ＰＣ）４０との通信信号、あるいはＧＰＳ（ｇｌｏｂａｌ  ｐｏｓｉｔｉｏｎｉｎｇ  ｓｙｓｔｅｍ）１９からの本端末装置１０の移動に応じた現在位置検出信号に応じて起動される。
【００２９】
前記ＣＰＵ１１には、前記メモリ１２、記録媒体読取部１４、電送制御部１５、入力部１６、画像入力部１７ａ、近距離通信部１８、ＧＰＳ１９が接続される他に、ＬＣＤからなる表示部２０、画像出力部１７ｂを介した画像印刷機２２などが接続される。
【００３０】
画像入力部１７ａは、外部接続されたデジタルカメラ２１あるいは内蔵されたデジタルカメラ（部）２１からの撮影画像データを入力するもので、例えば本端末装置１０がケータイ電話や携帯端末装置（ＰＤＡ），デジタルカメラである場合には内蔵されたデジタルカメラ部２１からの撮影画像データが入力される。
【００３１】
画像出力部１７ｂは、前記画像入力部１７ａから入力された撮影画像データや当該撮影画像に基づいて合成処理された画像データを出力するもので、この出力画像データは画像印刷機２２に出力されて印刷が行われる。
【００３２】
メモリ１２には、当該端末装置１０の全体の動作を司るシステムプログラムや電送制御部１５を介してインターネットＮ上にある各Ｗｅｂサーバ３０とデータ通信するための通信プログラム、近距離通信部（クレードルを含む）１８を介してユーザ端末（ＰＣ）４０とデータ通信するための近距離通信プログラムが記憶される他に、画像の撮影処理や静止画像から動画像を作成するための移動画像作成処理、さらには画像入力部１７ａから入力された撮影画像に基づいたユーザ端末（ＰＣ）４０への前記移動画像作成処理の依頼処理や撮影・作成された画像データの表示や画像出力部１７ｂを介した印刷処理などを行うための通信・画像処理プログラム１２ａなどが記憶される。
【００３３】
前記メモリ１２のワークエリアには、前記通信・画像処理プログラム１２ａに従い処理される種々の画像データがその画像処理に応じて一時記憶される画像処理ワークエリア１２ｂが用意され、前記移動画像作成処理用のワークエリアとしては、撮影画像メモリ１２ｂ１、背景画像メモリ１２ｂ２、移動画像抽出メモリ１２ｂ３、移動画像位置／方向テーブル１２ｂ４、設定移動方向メモリ１２ｂ５、中間画像メモリ１２ｂ６が備えられる。
【００３４】
撮影画像メモリ１２ｂ１には、デジタルカメラ（部）２１により撮影され画像入力部１７ａを介して入力された個々の静止画像データが記憶（記録）される。
【００３５】
背景画像メモリ１２ｂ２には、前記撮影画像メモリ１２ｂ１に記憶された複数の静止画像データに基づき、当該各静止画像データ内でその位置が変化する移動画像部分が省略されてなる背景のみの静止画像データが生成されて記憶される。
【００３６】
移動画像抽出メモリ１２ｂ３には、前記撮影画像メモリ１２ｂ１に記憶された複数の静止画像データに基づき、当該各静止画像データ内でその位置が変化する移動画像部分が各静止画像毎に抽出されて記憶される。
【００３７】
移動画像位置／方向テーブル１２ｂ４には、前記移動画像抽出メモリ１２ｂ３に記憶された各静止画像データ毎の抽出移動画像について、その静止画像上での位置及び移動方向が対応付けられて記憶される。
【００３８】
設定移動方向メモリ１２ｂ５には、前記移動画像位置／方向テーブル１２ｂ４に記憶された各静止画像データ毎の抽出移動画像の移動方向に応じて設定された移動画像の連続的な移動方向か、またはユーザ任意の静止画像データについてその抽出移動画像に適宜設定した移動方向が、当該移動画像についての動画像データを生成する場合の移動方向として記憶される。
【００３９】
中間画像メモリ１２ｂ６には、前記背景画像メモリ１２ｂ２に記憶された静止画像の背景画像データと、前記移動画像抽出メモリ１２ｂ３に記憶された各静止画像毎の移動画像データと、前記移動画像位置／方向テーブル１２ｂ４に記憶された各静止画像データ上での移動画像に対応した移動位置及びその方向と、前記設定移動方向メモリ１２ｂ５に記憶された前記移動画像の設定された移動方向に基づき、前記移動画像作成処理によって作成された、前記移動画像が前記背景画像上を前記設定移動方向に移動するようにした動画像出力用の各中間画像データが記憶される。
【００４０】
ここで、前記合成画像出力装置による移動画像作成処理の動作概要について説明する。
【００４１】
図２は前記合成画像出力装置の移動画像作成処理に伴う元の撮影静止画像Ａ，Ｂ，Ｃからの背景画像生成状態および移動画像抽出状態を示す図である。
【００４２】
例えば図２（Ａ）〜（Ｃ）に示すように、魚が回遊している水槽の画像を３枚撮影した場合に、撮影画像メモリ１２ｂ１に記憶された元の静止画像（Ａ）１２ｂ１ａ〜（Ｃ）１２ｂ１ｃに基づき、図２（Ｅ）に示すように、各元画像（Ａ）１２ｂ１ａ〜（Ｃ）１２ｂ１ｃ上での画像の変化部分（この場合「魚の画像」）が移動画像Ｍａ（１２ｂ３ａ），Ｍｂ（１２ｂ３ｂ），Ｍｃ（１２ｂ３ｃ）として抽出され移動画像抽出メモリ１２ｂ３に記憶されると共に、最初に撮影した元画像（Ａ）１２ｂ１ａにおいて移動画像Ｍａ（１２ｂ３ａ）の存在しない左半分の背景画像領域と元画像（Ｃ）１２ｂ１ｃにおいて移動画像Ｍｃ（１２ｂ３ｃ）が存在しない右半分の背景画像領域Ｇとが、図２（Ｄ）に示すように合成され、背景画像データとして背景画像メモリ１２ｂに記憶される。
【００４３】
図３は前記合成画像出力装置の移動画像作成処理に伴い作成された中間画像（途中画像）を含めた動画像表示状態を示す図である。
【００４４】
すなわち、移動画像位置／方向テーブル１２ｂ４にて記憶管理される前記元画像（Ａ）１２ｂ１ａ〜（Ｃ）１２ｂ１ｃにおける移動画像Ｍａ（１２ｂ３ａ）〜Ｍｃ（１２ｂ３ｃ）の一連の移動方向（左方向）と、第１元画像（Ａ）１２ｂ１ａにおける移動画像Ｍａ（１２ｂ３ａ）の位置および第２元画像（Ｂ）１２ｂ１ｂにおける移動画像Ｍｂ（１２ｂ３ｂ）の位置に基づき、図３（Ｂ）で示すように、背景画像１２ｂ２（図２（Ｄ）参照）に対して両者の移動画像Ｍａ（１２ｂ３ａ）とＭｂ（１２ｂ３ｂ）の中間位置に抽出移動画像Ｍｍ（図２（Ｅ）参照）を合成した中間（途中）画像１２ｂ６が作成される。
【００４５】
そして、前記元画像（Ａ）１２ｂ１ａ〜（Ｃ）１２ｂ１ｃと前記作成された中間（途中）画像１２ｂ６とが組み合わされて順次出力されることで、数少ない静止画像に基づき背景画像１２ｂ２を明瞭にした動画像表示を行うことができる。
【００４６】
図４は前記合成画像出力装置の移動画像作成処理に伴いその移動方向を指定して作成された中間画像（途中画像）を含めた動画像表示状態を示す図である。
【００４７】
すなわち、図４（Ａ）に示すように、第１元画像（Ａ）１２ｂ１ａに対して、その移動画像Ｍａ（１２ｂ３ａ）についての移動方向Ｐを指定すると、この指定の移動方向Ｐに対応して、図４（Ｂ），図４（Ｃ）に示すように、前記背景画像１２ｂ２（図２（Ｄ）参照）上で前記抽出移動画像Ｍｍ（図２（Ｅ）参照）を順次合成した中間（途中）画像▲１▼▲２▼１２ｂ６が作成される。
【００４８】
そして、前記第１元画像（Ａ）１２ｂ１ａと前記作成された中間（途中）画像▲１▼▲２▼１２ｂ６とが組み合わされて順次出力されることで、数少ない静止画像に基づき、その移動画像Ｍｍの方向を指定して、背景画像１２ｂ２を明瞭にした動画像表示を行うことができる。
【００４９】
次に、前記合成画像出力装置による移動画像作成処理の詳細な動作について説明する。
【００５０】
前記図２〜図４を参照して説明した動作概要では、移動画像Ｍｍの奥行き（遠近）方向の移動に伴う当該移動画像Ｍｍのサイズ補正や移動方向Ｐに方向転換が無い場合の移動画像作成処理について説明したが、ここでは、移動画像Ｍｍのサイズ補正や方向転換が有る場合でも対応可能な移動画像作成処理について説明する。
【００５１】
図５は前記合成画像出力装置の画像撮影処理を示すフローチャートである。
【００５２】
図６は前記合成画像出力装置の移動画像作成表示処理を示すフローチャートである。
【００５３】
図７は前記合成画像出力装置の移動画像作成表示処理に伴う指定方向画像作成処理を示すフローチャートである。
【００５４】
図８は前記合成画像出力装置の画像撮影処理に伴い３枚の車の走行画像を撮影し移動画像作成表示処理に伴い各中間（途中）画像を作成した場合の動画表示状態を示す図である。
【００５５】
まず、入力部１６の操作に伴い移動画像作成モードが設定されている状態で（ステップＳ１）、例えば図８に示すようにサーキットにおいて走行する車をデジタルカメラ（部）２１を通して撮影すると、画像入力部１７ａを介して入力される撮影画像がリアルタイムに表示部２０に表示される（ステップＳ２）。
【００５６】
そして、所望のタイミングでシャッタ操作すると（ステップＳ３）、これに応答して例えば図８（Ａ）に示すような、第１元画像１２ｂ１ａが取り込まれ撮影画像メモリ１２ｂ１に記憶保存される（ステップＳ４）。
【００５７】
続いて、前記サーキット走行を撮影して表示部２０にリアルタイムに表示させている状態で（ステップＳ５）、当該撮影画像上で時間に伴い変化する部分の画像（移動画像Ｍａ）が抽出され（ステップＳ６）、前記取り込み済みの第１元画像１２ｂ１ａ上では当該変化部分画像（移動画像Ｍａ）によって隠されていた背景部分画像が隠れていない（見えるようになった）ことが、当該変化部分画像（移動画像Ｍａ）の新たな領域への移動に従い判定される（ステップＳ７）。
【００５８】
また、前記第１元画像１２ｂ１ａ上での変化部分画像（移動画像Ｍａ）が新たな領域へ移動せずその最初の背景部分画像が未だ隠れている状態では、当該変化部分画像（移動画像Ｍａ）の撮影形状が例えばその方向転換などによって大きく変化したか判定される（ステップＳ８）。
【００５９】
そして、前記ステップＳ７において、取り込み済みの第１元画像１２ｂ１ａ上でその変化部分画像（移動画像Ｍａ）によって隠されていた背景部分画像が隠れていない（見えるようになった）こと、つまり当該変化部分画像（移動画像Ｍａ）が新たな領域へ移動したと判定された場合、または前記ステップＳ８において、当該変化部分画像（移動画像Ｍａ）の撮影形状が大きく変化したと判定された場合には、例えば図８（Ｂ）に示すように、その変化部分画像（移動画像Ｍｂ）が新たな領域に移動あるいは形状変化した第２元画像１２ｂ１ｂが自動シャッタにより取り込まれ（ステップＳ１０）、撮影画像メモリ１２ｂ１に記憶保存される（ステップＳ１２）。
【００６０】
なお、前記ステップＳ１０では、当該自動シャッタのタイミングを点灯表示などによりユーザに報知することで、ユーザ自身にマニュアルでシャッタ操作させて次の元画像を取り込み保存する（ステップＳ１２）ようにしてもよい。
【００６１】
一方、ステップＳ７あるいはＳ８において、前記変化部分画像（移動画像Ｍａ）の新たな領域への移動判定や形状変化判定がない場合でも、ユーザによるシャッタ操作が検出判定された場合には（ステップＳ９）、そのタイミングで撮影画像が次の元画像として取り込まれ（ステップＳ１１）、撮影画像メモリ１２ｂ１に記憶保存される（ステップＳ１２）。
【００６２】
こうした前記ステップＳ５〜Ｓ１２の処理を経て、例えば図８（Ｂ）で示したように、撮影画像における変化部分画像（移動画像Ｍｂ）が新たな領域に移動あるいは形状変化した第２元画像１２ｂ１ｂが取り込まれて保存されると、ステップＳ１３においてユーザによる撮影終了の操作が検出判定されない限り、当該ステップＳ５〜Ｓ１２の処理に伴う次の元画像の撮影・表示・取り込み・保存処理が繰り返され、例えば図８（Ｃ）で示すような、撮影画像における変化部分画像（移動画像Ｍｃ）が新たな領域に移動あるいは形状変化した第３元画像１２ｂ１ｃが取り込まれて保存される。
【００６３】
このように、移動画像作成モードでの画像撮影処理によって、例えば前記図８（Ａ）〜（Ｃ）で示したように、サーキットにおいて走行する車を撮影した３枚の静止画像である第１〜第３元画像１２ｂ１ａ〜１２ｂ１ｃが撮影画像メモリ１２ｂ１に記憶保存されると、これを合成動画像にして出力するための移動画像作成表示処理（図６参照）が起動される。
【００６４】
この移動画像作成表示処理では、まず撮影画像メモリ１２ｂ１に保存された第１〜第３元画像１２ｂ１ａ〜１２ｂ１ｃ（図８（Ａ）〜（Ｃ）参照）が、それぞれその画像上の予め設定された各位置の部分画像について各元画像１２ｂ１ａ，１２ｂ１ｂ，１２ｂ１ｃ同士で当該部分画像の一致／不一致が比較される（ステップＡ１）。そして、各２枚の元画像間で一致判定された部分画像が合成され、変化部分画像（移動画像Ｍａ，Ｍｂ，Ｍｃ）が除かれて合成された１枚の背景画像として背景画像メモリ１２ｂ２に記憶保存される（ステップＡ２）。
【００６５】
すると、前記各元画像１２ｂ１ａ，１２ｂ１ｂ，１２ｂ１ｃにおける変化部分画像（移動画像Ｍａ，Ｍｂ，Ｍｃ）が抽出されて移動画像抽出メモリ１２ｂ３に記憶される（ステップＡ３）。
【００６６】
ここで、例えば前記第１元画像１２ｂ１ａ上の変化部分画像（移動画像Ｍａ）を対象に、合成動画像作成ためのユーザ任意の移動方向が入力指定されたか否か判断され（ステップＡ４）、当該移動方向の任意指定がない場合には、前記各元画像１２ｂ１ａ，１２ｂ１ｂ，１２ｂ１ｃにおいて抽出した各変化部分画像（移動画像Ｍａ，Ｍｂ，Ｍｃ）それぞれの画像上の位置が特定されると共に、この特定された各変化部分画像（移動画像Ｍａ，Ｍｂ，Ｍｃ）それぞれの画像上の位置を繋いだ軌跡が移動方向Ｑ（図８（Ａ）参照）として設定され、設定移動方向メモリ１２ｂ５に記憶される（ステップＡ４→Ａ５，Ａ６）。
【００６７】
なお、前記ステップＡ４において、合成動画像作成ためのユーザ任意の移動方向Ｐ（図１０（Ａ）参照）が例えばペン入力により指定されたと判断された場合には、当該ペン入力の軌跡が指定の移動方向Ｐ（図１０（Ａ）参照）として検知され、設定移動方向メモリ１２ｂ５に記憶される（ステップＡ７）。
【００６８】
すると、図７における指定方向画像作成処理が起動される（ステップＡＢ）。
【００６９】
ここではまず、前記図８で示したように、変化部分画像（移動画像Ｍａ，Ｍｂ，Ｍｃ）それぞれの画像上の位置を繋いだ軌跡が移動方向Ｑとして自動設定された場合について説明する。
【００７０】
この指定方向画像作成処理では、まず前記各元画像１２ｂ１ａ，１２ｂ１ｂ，１２ｂ１ｃに対応する撮影時間毎の各変化部分画像（移動画像Ｍａ，Ｍｂ，Ｍｃ）の位置とその移動方向（Ｍａ（右向き），Ｍｂ（正面），Ｍｃ（左向き））が読み出され、移動画像位置／方向テーブル１２ｂ４に記憶される（ステップＢ１）。
【００７１】
すると、前記移動画像位置／方向テーブル１２ｂ４に記憶された各移動画像位置とその移動方向にある各変化部分画像（移動画像Ｍａ，Ｍｂ，Ｍｃ）が、例えば図９（Ａ）〜（Ｃ）に示すように、予め設定された一定サイズの画像として切り出され、当該各移動方向に対応付けされる（Ｍａ（右向き），Ｍｂ（正面），Ｍｃ（左向き））（ステップＢ２）。
【００７２】
図９は前記合成画像出力装置の移動画像作成表示処理に伴う指定方向画像作成処理での各変化部分画像（移動画像Ｍａ，Ｍｂ，Ｍｃ）から中間画像の生成および背景画像合成までの各画像処理状態を示す図である。
【００７３】
ここで、前記設定移動方向メモリ１２ｂ５に記憶された移動方向Ｑ（図８（Ａ）参照）に応じて、この場合には各変化部分画像（移動画像Ｍａ，Ｍｂ，Ｍｃ）の位置を含めた一定間隔のタイミングｔ１〜ｔ７が設定されると共に、当該各変化部分画像（移動画像Ｍａ，Ｍｂ，Ｍｃ）の位置でのタイミングｔ１，ｔ４，ｔ７を除いた中間のタイミングｔ２，ｔ３，ｔ５，ｔ６が中間画像を生成すべき補間位置として設定され、その最初の補間位置（ｔ２）が指定される（ステップＢ３）。
【００７４】
すると、この指定された補間位置（ｔ２）での変化部分画像（移動画像Ｍａ）の移動方向（斜め右方向）に応じて、前記ステップＢ２にて既に一定サイズで切り出された右向き対応の移動画像Ｍａ（図９（Ａ）参照）と正面対応の移動画像Ｍｂ（図９（Ｂ）参照）とから、図９（Ｄ）に示すような中間変形画像Ｍａｂ１が例えば周知のフュージョン技術によって作成される（ステップＢ４）。
【００７５】
なお、フュージョン技術とは、一連の静止画像からその間を保管した静止画像を作成する技術であり、既に実用化されている。
【００７６】
すると、前記補間位置（ｔ２）に応じて作成された斜め右方向の中間変形画像Ｍａｂ１が、前記タイミング位置ｔ１とｔ４での移動画像ＭａとＭｂとのサイズ比に基づき、図９（Ｅ）に示すように、当該補間位置（ｔ２）に応じた画像サイズに拡大または縮小補正され、図９（Ｆ）に示すように、背景画像メモリ１２ｂ２に記憶されている背景画像に対してタイミング位置（ｔ２）での移動画像Ｍｍ１として合成され、これが中間合成画像１２ｂ６ａ（図８（ＡＢ１）参照）として中間画像メモリ１２ｂ６に記憶される（ステップＢ５）。
【００７７】
ここで、次に中間合成画像を作成すべき補間位置の有無が判断され（ステップＢ６）、この場合には次の補間位置（ｔ３）が指定され（ステップＢ７）、前記ステップＢ４からの処理が繰り返される。
【００７８】
すなわち、補間位置（ｔ３）が指定されると、前記同様に、この指定された補間位置（ｔ３）での変化部分画像（移動画像Ｍａ）の移動方向（斜め右方向）に応じて、前記右向き対応の移動画像Ｍａ（図９（Ａ）参照）と正面対応の移動画像Ｍｂ（図９（Ｂ）参照）とから中間変形画像Ｍａｂ２が作成される（ステップＢ４）。
【００７９】
すると、この斜め右方向の中間変形画像Ｍａｂ２が、当該補間位置（ｔ３）に応じた画像サイズに拡大または縮小補正され、背景画像に対してタイミング位置（ｔ３）での移動画像Ｍｍ２として合成され、これが中間合成画像１２ｂ６ｂ（図８（ＡＢ２）参照）として中間画像メモリ１２ｂ６に記憶される（ステップＢ５）。
【００８０】
この後、さらに次の補間位置（ｔ５）（ｔ６）が順次指定されることで、その都度前記ステップＢ４〜Ｂ７の処理が同様に繰り返され、例えば補間位置（ｔ５）が指定された場合には、正面対応の移動画像Ｍｂ（図９（Ｂ）参照）と左向き対応の移動画像Ｍｃ（図９（Ｃ）参照）とから斜め左方向の中間変形画像Ｍｂｃ１が作成され（ステップＢ４）、背景画像に対し移動画像Ｍｍ３として合成され、中間合成画像１２ｂ６ｃ（図８（ＢＣ１）参照）として中間画像メモリ１２ｂ６に記憶される（ステップＢ５）。
【００８１】
また、補間位置（ｔ６）が指定された場合にも同様に、正面対応の移動画像Ｍｂ（図９（Ｂ）参照）と左向き対応の移動画像Ｍｃ（図９（Ｃ）参照）とから斜め左方向の中間変形画像Ｍｂｃ２が作成され（ステップＢ４）、背景画像に対し移動画像Ｍｍ４として合成され、中間合成画像１２ｂ６ｄ（図８（ＢＣ２）参照）として中間画像メモリ１２ｂ６に記憶される（ステップＢ５）。
【００８２】
こうして、前記撮影画像メモリ１２ｂ１に保存された３枚の静止画像である第１〜第３元画像１２ｂ１ａ〜１２ｂ１ｃに基づき、その各変化部分画像（移動画像Ｍａ（ｔ１），Ｍｂ（ｔ４），Ｍｃ（ｔ７））の移動方向Ｑに応じた各中間補間位置（ｔ２）（ｔ３）（ｔ５）（ｔ６）での中間合成画像１２ｂ６ａ，１２ｂ６ｂ，１２ｂ６ｃ，１２ｂ６ｄが作成される。
【００８３】
すると、前記指定方向画像作成処理（ステップＡＢ）に伴い作成記憶された各中間合成画像１２ｂ６ａ，１２ｂ６ｂ，１２ｂ６ｃ，１２ｂ６ｄが中間画像メモリ１２ｂ６から読み出されると共に、撮影画像メモリ１２ｂ１に保存されている第１〜第３元画像１２ｂ１ａ，１２ｂ１ｂ，１２ｂ１ｃが時間順に組み合わされ、例えば図８（Ａ）→（ＡＢ１）→（ＡＢ２）→（Ｂ）→（ＢＣ１）→（ＢＣ２）→（Ｃ）として示すように、表示部２０に対し順番に出力されて背景画像に欠損やぼかしなどの無い明瞭な合成動画像として表示される。
【００８４】
次に、前記移動画像作成処理（図６参照）におけるステップＡ７において、合成動画像作成ためのユーザ任意の移動方向Ｐ（図１０（Ａ）参照）が、例えばペン入力により指定され、当該ペン入力の軌跡が指定の移動方向Ｐとして検知設定された場合の指定方向画像作成処理（ステップＡＢ）（図７参照）について説明する。
【００８５】
図１０は前記合成画像出力装置の画像撮影処理に伴い撮影された３枚の車の走行画像について合成動画像作成ための任意の移動方向Ｐを設定した状態を示す図である。
【００８６】
図１１は前記合成画像出力装置の移動画像作成表示処理に伴い合成動画像作成ための任意の移動方向Ｐを設定して各中間（途中）画像を作成した場合の動画表示状態を示す図である。
【００８７】
指定方向画像作成処理において、まず図１０（Ａ）〜（Ｃ）で示した各元画像１２ｂ１ａ，１２ｂ１ｂ，１２ｂ１ｃに対応する撮影時間毎の各変化部分画像（移動画像Ｍａ，Ｍｂ，Ｍｃ）の位置とその移動方向（Ｍａ（右向き），Ｍｂ（正面），Ｍｃ（左向き））が読み出され、移動画像位置／方向テーブル１２ｂ４に記憶される（ステップＢ１）。
【００８８】
すると、前記移動画像位置／方向テーブル１２ｂ４に記憶された各移動画像位置とその移動方向にある各変化部分画像（移動画像Ｍａ，Ｍｂ，Ｍｃ）が、例えば図９（Ａ）〜（Ｃ）で示したように、予め設定された一定サイズの画像として切り出され、当該各移動方向に対応付けされる（Ｍａ（右向き），Ｍｂ（正面），Ｍｃ（左向き））（ステップＢ２）。
【００８９】
ここで、前記設定移動方向メモリ１２ｂ５に記憶された任意指定の移動方向Ｐ（図１０（Ａ）参照）に応じて、一定間隔のタイミングｔ１〜ｔ７が設定されると共に、先頭の変化部分画像（移動画像Ｍａ）の位置でのタイミングｔ１を除いた中間のタイミングｔ２，…，ｔ７が中間画像を生成すべき補間位置として設定され、その最初の補間位置（ｔ２）が指定される（ステップＢ３）。
【００９０】
すると、この指定された補間位置（ｔ２）での変化部分画像（移動画像Ｍａ）の移動方向（斜め右方向）に応じて、前記ステップＢ２にて既に一定サイズで切り出された右向き対応の移動画像Ｍａ（図９（Ａ）参照）と正面対応の移動画像Ｍｂ（図９（Ｂ）参照）とから、中間変形画像Ｍａｂ（ｔ２）（図９（Ｄ）参照）が例えば周知のフュージョン技術によって作成される（ステップＢ４）。
【００９１】
すると、前記補間位置（ｔ２）に応じて作成された斜め右方向の中間変形画像Ｍａｂ（ｔ２）が、前記元画像１２ｂ１ａ，１２ｂ１ｂ，１２ｂ１ｃにおける各位置での移動画像Ｍａ，Ｍｂ，Ｍｃ間のサイズ比に基づき、図９（Ｅ）に示すように、当該補間位置（ｔ２）に応じた画像サイズに拡大または縮小補正され、図９（Ｆ）に示すように、背景画像メモリ１２ｂ２に記憶されている背景画像に対してタイミング位置（ｔ２）での移動画像Ｍｍ１として合成され、これが中間合成画像１２ｂ６ａ（図１１（ＡＢ１）参照）として中間画像メモリ１２ｂ６に記憶される（ステップＢ５）。
【００９２】
ここで、次に中間合成画像を作成すべき補間位置の有無が判断され（ステップＢ６）、この場合には次の補間位置（ｔ３）が指定され（ステップＢ７）、前記ステップＢ４からの処理が繰り返される。
【００９３】
すなわち、補間位置（ｔ３）が指定されると、前記同様に、この指定された補間位置（ｔ３）での変化部分画像（移動画像Ｍａ）の移動方向（斜め左方向）に応じて、前記正面対応の移動画像Ｍｂ（図９（Ｂ）参照）と左向き対応の移動画像Ｍｃ（図９（Ｃ）参照）とから中間変形画像Ｍｂｃ（ｔ３）が作成される（ステップＢ４）。
【００９４】
すると、この斜め左方向の中間変形画像Ｍｂｃ（ｔ３）が、当該補間位置（ｔ３）に応じた画像サイズに拡大または縮小補正され、背景画像に対してタイミング位置（ｔ３）での移動画像Ｍｍ２として合成され、これが中間合成画像１２ｂ６ｂ（図１１（ＢＣ）参照）として中間画像メモリ１２ｂ６に記憶される（ステップＢ５）。
【００９５】
この後、さらに次の補間位置（ｔ４），…，（ｔ７）が順次指定されることで、その都度前記ステップＢ４〜Ｂ７の処理が同様に繰り返され、例えば補間位置（ｔ４）が指定された場合には、正面対応の移動画像Ｍｂ（図９（Ｂ）参照）と右向き対応の移動画像Ｍａ（図９（Ａ）参照）とから斜め右方向の中間変形画像Ｍｂａ（ｔ４）が作成され（ステップＢ４）、背景画像に対し移動画像Ｍｍ３として合成され、中間合成画像１２ｂ６ｃ（図１１（Ｂ１）参照）として中間画像メモリ１２ｂ６に記憶される（ステップＢ５）。
【００９６】
また、補間位置（ｔ５）（ｔ６）が指定された場合にも同様に、何れも正面対応の移動画像Ｍｂ（図９（Ｂ）参照）と右向き対応の移動画像Ｍａ（図９（Ａ）参照）とから斜め右方向の中間変形画像Ｍｂａ（ｔ５），Ｍｂａ（ｔ６）が作成され（ステップＢ４）、背景画像に対し移動画像Ｍｍ４，Ｍｍ５として合成され、中間合成画像１２ｂ６ｄ（図１１（ＡＢ２）参照），１２ｂ６ｅ（図１１（Ｂ２）参照）として順次中間画像メモリ１２ｂ６に記憶される（ステップＢ５）。
【００９７】
さらに、補間位置（ｔ７）が指定された場合にも前記同様に、正面対応の移動画像Ｍｂ（図９（Ｂ）参照）と左右向き対応の移動画像Ｍｃ（図９（Ｃ）参照）とから斜め左方向の中間変形画像Ｍｂｃ（ｔ７）が作成され（ステップＢ４）、背景画像に対し移動画像Ｍｍ６として合成され、中間合成画像１２ｂ６ｆ（図１１（Ｃ）参照）として中間画像メモリ１２ｂ６に記憶される（ステップＢ５）。
【００９８】
こうして、前記撮影画像メモリ１２ｂ１に保存された３枚の静止画像である第１〜第３元画像１２ｂ１ａ〜１２ｂ１ｃに基づき、任意指定の移動方向Ｐに応じた各中間補間位置（ｔ２），…，（ｔ７）での中間合成画像１２ｂ６ａ，…，１２ｂ６ｆが作成される。
【００９９】
すると、前記指定方向画像作成処理（ステップＡＢ）に伴い作成記憶された各中間合成画像１２ｂ６ａ，…，１２ｂ６ｆが中間画像メモリ１２ｂ６から読み出されると共に、撮影画像メモリ１２ｂ１に保存されている先頭の第１元画像１２ｂ１ａが時間順に組み合わされ、例えば図１１（Ａ）→（ＡＢ１）→（ＢＣ）→（Ｂ１）→（ＡＢ２）→（Ｂ２）→（Ｃ）として示すように、表示部２０に対し順番に出力されて背景画像に欠損やぼかしなどの無い明瞭な合成動画像として表示される。
【０１００】
次に、このような合成画像出力装置（端末装置１０）に外部ＰＣ４０を接続し、端末装置１０から転送した撮影画像などの複数の静止画像に基づいて、外部ＰＣ４０でも同様の移動画像作成処理を実施し、大画面・高画質で合成動画像の表示を行う場合の構成について説明する。
【０１０１】
図１２は前記端末装置１０と外部ＰＣ４０とを接続して外部ＰＣ４０側でも合成動画像の作成表示を行う場合の画像処理を示すフローチャートである。
【０１０２】
図１３は前記端末装置１０と外部ＰＣ４０とを接続して外部ＰＣ４０側でも合成動画像の作成表示を行う場合の外観構成を示す図である。
【０１０３】
この場合、端末装置１０は例えばクレードルである近距離通信部１８に設置することで外部ＰＣ４０と接続しデータ通信を行う。
【０１０４】
デジタルカメラとして機能する端末装置１０において、複数の静止画像を撮影し、当該各画像データが撮影画像メモリ１２ｂ１に記憶保存されると（ステップＣ１）、この撮影画像メモリ１２ｂ１に保存された各撮影画像データは、その画像数（画素数・色数）が当該端末装置１０における表示部２０の表示解像度に合わせて減らされ変換される（ステップＣ２）。
【０１０５】
すると、この表示解像度に合わせて画像数の減らされた各撮影画像データに基づき、前記同様の移動画像作成表示処理（図６，図７参照）が実行され、前記図３や図４、あるいは図８や図１１で示したように、合成動画像が作成されて当該端末装置１０の小型表示部２０において表示される（ステップＣＡ）。
【０１０６】
ここで、外部ＰＣ４０に接続して該外部ＰＣ４０の有する大画面・高画質の大型表示部４１にて、この合成動画像の高画質表示を行いたい場合に、外部ＰＣ４０での表示が操作指示されると（ステップＣ３）、前記撮影画像メモリ１２ｂ１に撮影時画像数のまま保存されている複数の撮影画像データがクレードル（近距離通信部）１８を介して外部ＰＣ４０へ出力転送される（ステップＣ４）。
【０１０７】
外部ＰＣ４０において、前記端末装置（デジタルカメラ）１０から転送された各撮影画像データが受信されると（ステップＤ１）、当該転送された各撮影画像データは何ら画像数の間引きを受けることなくそのまま保存される（ステップＤ２）。
【０１０８】
すると、この撮影時画像数のまま保存された各撮影画像データに基づき、前記同様の移動画像作成表示処理（図６，図７参照）が実行され、前記図３や図４、あるいは図８や図１１で示したように、高画質の合成動画像が作成されて当該外部ＰＣ４０の大型表示部４１において表示される（ステップＤＡ）。
【０１０９】
これにより、端末装置１０を外部ＰＣ４０に接続することで、容易に大画面・高画質での合成動画像を作成表示させることができる。
【０１１０】
なお、デジタルカメラとして機能する端末装置１０Ａにおいて、合成動画像を作成するための画像処理プログラム１２ａを備えていない場合に、当該画像処理プログラム１２ａをインストールした外部ＰＣ４０において移動画像作成表示処理（図６，図７参照）のみ行わせ、これにより得られた合成動画像を端末装置１０Ａの側で表示させることもできる。
【０１１１】
図１４はデジタルカメラ１０Ａと合成動画像の作成機能を有する外部ＰＣ４０とを接続して外部ＰＣ４０側で合成動作画像の作成を行わせる場合の画像処理を示すフローチャートである。
【０１１２】
図１５はデジタルカメラ１０Ａと合成動画像の作成機能を有する外部ＰＣ４０とを接続して外部ＰＣ４０側で合成動作画像の作成を行わせる場合の外観構成を示す図である。
【０１１３】
デジタルカメラ１０Ａにおいて、撮影された複数の撮影画像データがその撮影画像メモリ１２ｂ１に保存された状態で（ステップＥ１）、当該デジタルカメラ１０Ａが外部ＰＣ４０に接続されたクレードル（近距離通信部）１８にセットされると（ステップＥ２）、前記撮影画像メモリ１２ｂ１に保存された各撮影画像データは、その画像数（画素数・色数）が当該デジタルカメラ１０Ａにおける表示部２０の表示解像度に合わせて減らされ変換される（ステップＥ３）。
【０１１４】
すると、この画像数変換後の各撮影画像データは、外部ＰＣ４０へ送信される（ステップＥ４）。
【０１１５】
外部ＰＣ４０において、前記デジタルカメラ１０Ａから送信された画像数減少変換後の各撮影画像データが受信されると（ステップＦ１）、当該受信された各撮影画像データは一旦保存される（ステップＦ２）。
【０１１６】
すると、この保存された画像数減少変換後の各撮影画像データに基づき、前記同様の移動画像作成表示処理（図６，図７参照）が実行され、前記図３や図４、あるいは図８や図１１で示したように、合成動画像が作成される（ステップＦＡ）。そして、前記デジタルカメラ１０Ａへ送信される（ステップＦ３）。
【０１１７】
デジタルカメラ１０Ａにおいて、前記外部ＰＣ４０にて作成送信された合成動画像が受信されると（ステップＥ５）、この受信された合成動画像はその小型表示部２０に順次表示される（ステップＥ６）。
【０１１８】
これにより、合成動画像を作成すべき複数の静止画像データをデジタルカメラ１０Ａによって撮影し、このデジタルカメラ１０Ａを外部ＰＣ４０に接続されたクレードル（１８）にセットするだけで、各撮影画像データに応じた合成動画像は外部ＰＣ４０の側で生成処理され、デジタルカメラ１０Ａの表示部２０で表示させて見ることができる。
【０１１９】
したがって、前記構成の合成画像出力装置によれば、例えば撮影によって得られた複数枚の静止元画像１２ｂ１ａ，１２ｂ１ｂ，１２ｂ１ｃに基づき、その各元画像１２ｂ１ａ，１２ｂ１ｂ，１２ｂ１ｃ内で変化する部分画像（移動画像Ｍａ，Ｍｂ，Ｍｃ）が抽出されると共に、この第１〜第３の元画像１２ｂ１ａ，１２ｂ１ｂ，１２ｂ１ｃ同士で前記変化部分画像（移動画像Ｍａ，Ｍｂ，Ｍｃ）が存在しない領域の部分背景画像が合成されて完全な背景画像１２ｂ２が作成され、この背景画像１２ｂ２に対して、前記各変化部分画像（移動画像Ｍａ，Ｍｂ，Ｍｃ）の位置およびその移動方向Ｑに応じて設定された途中（中間）の位置に、当該移動画像Ｍが合成されて途中（中間）画像１２ｂ６が作成され、第１〜第３元画像１２ｂ１ａ，１２ｂ１ｂ，１２ｂ１ｃと時間順に組み合わされて順次表示されることで、合成動画像として表示されるので、一連の移動物体が含まれる数枚の静止画像から、背景画像が完全な状態での擬似的動画像を合成して表示できるようになる。
【０１２０】
また、前記構成の合成画像出力装置によれば、第１元画像１２ｂ１ａの変化部分画像（移動画像Ｍａ）について任意の移動方向Ｐが指定された場合には、当該指定の移動方向Ｐの軌跡に沿った一定時間間隔ｔ１，ｔ２，…，ｔｎの各タイミング位置での移動方向およびサイズに応じた中間変形画像Ｍ（ｔｎ）が、第１〜第３元画像１２ｂ１ａ，１２ｂ１ｂ，１２ｂ１ｃから一定サイズで抽出された各変化部分画像（移動画像Ｍａ，Ｍｂ，Ｍｃ）に基づき作成され、それぞれ前記合成作成された背景画像に合成されると共に、時間順に組み合わされて順次表示されることで、合成動画像として表示されるので、一連の移動物体が含まれる数枚の静止画像から、該移動物体の任意の移動方向を指定した場合でも、背景画像が完全な状態での擬似的動画像を合成して表示できるようになる。
【０１２１】
また、前記構成の合成画像出力装置によれば、複数の静止画像から合成動画像を作成するための移動画像作成モードを設定して撮影を行う場合には、撮影画像から抽出される変化部分画像（移動画像Ｍ）により隠れていた背景部分が現れたタイミングで、次の撮影画像の自動取り込みが行われるか、または当該画像取り込みのタイミングがユーザに報知指示されるので、完全な背景画像を合成するために、最も効率的且つ適切なタイミングで撮影静止画像を取り込むことができる。
【０１２２】
また、前記構成の合成画像出力装置によれば、端末装置１０に外部ＰＣ４０を接続可能に構成し、端末装置１０ではその小型の表示部２０の表示解像度に合わせて画像数（画素数，色数）を減らした各撮影元画像データに基づき、移動画像作成表示処理を実施して合成動画像を作成し当該小型表示部２０に表示させる。一方で、この端末装置１０から撮影時画像数のままの各元画像データを外部ＰＣ４０へ転送し、当該外部ＰＣ４０にインストールされた合成動画像作成のための画像処理プログラムに従って、前記同様の移動画像作成表示処理を実施して合成動画像を作成し、当該外部ＰＣ４０における大型・高画質の表示部４１に表示させるので、端末装置１０では小型の表示部２０とＣＰＵ１１に合わせた低負荷の移動画像作成表示処理によって合成動画像を作成表示でき、しかも外部ＰＣ４０などに接続して高画質の合成動画像をも容易に作成表示することができる。
【０１２３】
さらに、前記構成の合成画像出力装置によれば、一連の静止画元画像１２ｂ１ａ，１２ｂ１ｂ，１２ｂ１ｃを撮影保存したデジタルカメラ１０Ａを、クレードル（近距離通信部）１８にセットして外部ＰＣ４０に接続すると、デジタルカメラ１０Ａに保存された一連の静止画元画像１２ｂ１ａ，１２ｂ１ｂ，１２ｂ１ｃは外部ＰＣ４０に転送される。そして、この外部ＰＣ４０での移動画像作成処理によって合成動画像が作成され、前記デジタルカメラ１０Ａに転送されて表示部２０に表示されるので、デジタルカメラ１０Ａ自身にて合成動画像を作成するための画像処理プログラムが備わっていなくても、クレードル（１８）にセットして外部ＰＣ４０に接続するだけで、容易に複数枚の撮影静止画像から合成動画像を取得して表示させることができる。
【０１２４】
なお、前記実施形態において記載した端末装置１０や外部ＰＣ４０による各処理の手法、すなわち、図５のフローチャートに示す画像撮影処理、図６のフローチャートに示す移動画像作成表示処理、図７のフローチャートに示す当該移動画像作成表示処理に伴う指定方向画像作成処理、図１２のフローチャートに示す端末装置１０と外部ＰＣ４０とを接続して外部ＰＣ４０側でも合成動画像の作成表示を行う場合の各画像処理、図１４のフローチャートに示すデジタルカメラ１０Ａと合成動画像の作成機能を有する外部ＰＣ４０とを接続して外部ＰＣ４０側で合成動作画像の作成を行わせる場合の各画像処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、通信ネットワーク（インターネット）Ｎとの通信機能を備えた種々のコンピュータ端末は、この外部記録媒体１３に記憶されたプログラムを記録媒体読取部１４によってメモリ１２に読み込み、この読み込んだプログラムによって動作が制御されることにより、前記実施形態において説明した複数静止画像からの合成動画像の作成表示機能を実現し、前述した各手法による同様の処理を実行することができる。
【０１２５】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末から前記のプログラムデータを取り込み、前述した複数静止画像からの合成動画像の作成表示機能を実現することもできる。
【０１２６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１２７】
【発明の効果】
以上のように、本発明の請求項１（請求項９）に係る合成画像出力装置（合成画像出力処理プログラム）によれば、画像取得手段によって複数の画像が取得されると、この取得された複数の画像の中から移動している物体の画像が移動画像抽出手段によって抽出され、この抽出された移動物体の画像について、移動方向設定手段によって前記画像取得手段により取得された背景画像上での移動方向が設定される。そして、背景画像作成手段によって前記画像取得手段により取得された複数の画像に基づき当該画像の背景画像が合成されて作成され、この背景画像に対して、前記移動画像抽出手段により抽出された移動物体の画像が、前記移動方向設定手段により設定された移動方向に応じて移動画像合成手段によって合成される。そして、この移動画像合成手段により背景画像に移動画像の合成された合成画像が画像出力手段によって出力されるので、複数の静止画像に基づき完全な背景画像を合成して作成し、これに設定された移動方向に応じて移動物体の画像を合成して、擬似的な合成動画像を作成表示できるようになる。
【０１２８】
また、本発明の請求項２（請求項１０）に係る合成画像出力装置（合成画像出力処理プログラム）によれば、前記請求項１に係る合成画像出力装置にあって、前記移動画像合成手段では、補間位置指定手段によって前記移動方向設定手段により設定された移動方向に沿った補間位置が指定され、前記背景画像作成手段により作成された背景画像上の前記補間位置指定手段により指定された補間位置に対して、前記移動画像抽出手段により抽出された移動物体の画像が合成される。これにより、設定された移動方向に沿った背景画像上の補間位置に対して移動物体の画像を合成し、擬似的な合成動画像として作成表示できるようになる。
【０１２９】
また、本発明の請求項３（請求項１１）に係る合成画像出力装置（合成画像出力処理プログラム）によれば、前記請求項１に係る合成画像出力装置にあって、前記移動画像合成手段では、補間位置指定手段によって前記移動方向設定手段により設定された移動方向に沿った複数の補間位置が順次指定され、この補間位置指定手段により前記移動方向に沿った複数の補間位置が順次指定される毎に、当該補間位置およびその位置での移動方向に応じた前記移動物体の中間変形画像が、中間画像作成手段によって前記移動画像抽出手段により前記複数の画像の中からそれぞれ抽出された移動物体の各画像に基づき作成される。そして、この中間画像作成手段により作成された前記移動物体の中間変形画像は、前記背景画像作成手段により作成された背景画像上の前記補間位置指定手段により指定された補間位置に対して合成されるので、設定された移動方向に沿った背景画像上の複数の補間位置に対して、順次当該補間位置およびその位置での移動方向に応じた移動物体の中間変形画像を作成して合成し、よりリアルに移動物体が移動する擬似的な合成動画像として作成表示できるようになる。
【０１３０】
また、本発明の請求項４に係る合成動画像出力装置によれば、前記請求項１乃至請求項３の何れか１項に係る合成画像出力装置にあって、さらに、画像を撮影する画像撮影手段が備えられ、前記画像取得手段では、前記画像撮影手段により撮影される画像に基づいて複数の画像が取得されるので。複数の撮影静止画像に基づいて完全な背景画像を合成して作成し、これに設定された移動方向に応じて移動物体の画像を合成して、擬似的な合成動画像を作成表示できるようになる。
【０１３１】
また、本発明の請求項５に係る合成画像出力装置によれば、前記請求項４に係るの合成画像出力装置であって、前記画像取得手段では、前記画像撮影手段により撮影されている画像が任意のタイミングで取得されると共に、この任意画像取得の後、前記画像撮影手段により撮影されている画像上の変化部分が抽出され、当該変化部分により隠れていた撮影画像の背景部分が現れたタイミングで次画像取得手段によってその撮影画像が次画像として取得されるので、合成動画像作成のために必要な完全な背景画像を合成作成するための複数の撮影画像を最適なタイミングで取得できるようになる。
【０１３２】
また、本発明の請求項６に係る合成画像出力装置によれば、前記請求項４に係る合成画像出力装置にあって、前記画像取得手段では、前記画像撮影手段により撮影されている画像が取得されると共に、この画像取得の後、前記画像撮影手段により撮影されている画像上の変化部分が抽出され、当該変化部分により隠れていた撮影画像の背景部分が現れたタイミングで次画像取得指示手段によってその撮影画像の次取得が指示されるので、合成動画像作成のために必要な完全な背景画像を合成作成するための複数の撮影画像を、最適なタイミングで取得するための操作指示が得られるようになる。
【０１３３】
また、本発明の請求項７に係る合成画像出力装置によれば、前記請求項１乃至請求項６の何れか１項に係る合成画像出力装置であって、画像出力手段で合成画像を表示する表示部の解像度に応じて、画像取得手段により取得された複数の画像それぞれの少なくとも画素数が画像変換手段によって減少変換され、前記移動画像抽出手段は、前記画像変換手段により画素数の変換された複数の画像の中から移動している物体の画像を抽出し、前記背景画像作成手段は、前記画像変換手段により画素数の変換された複数の画像に基づき当該画像の背景画像を合成して作成する。そして、外部表示装置と、この外部表示装置に前記画像取得手段により取得された複数の画像を送信する画像送信手段とが備えられ、この外部表示装置では、前記画像送信手段により送信された複数の画像を受信する画像受信手段と、この画像受信手段により受信された複数の画像の中から移動している物体の画像を抽出する外部の移動画像抽出手段と、この移動画像抽出手段により抽出された移動物体の画像について、前記画像受信手段により受信された背景画像上での移動方向を設定する外部の移動方向設定手段と、前記画像受信手段により受信された複数の画像に基づき当該画像の背景画像を合成して作成する外部の背景画像作成手段と、この背景画像作成手段により作成された背景画像に対して、前記外部の移動画像抽出手段により抽出された移動物体の画像を、前記外部の移動方向設定手段により設定された移動方向に応じて合成する外部の移動画像合成手段と、この移動画像合成手段により背景画像に移動画像の合成された合成画像を前記画像表示手段の表示部より解像度の高い表示部に表示する外部の画像表示手段とが備えられるので、装置本体側ではその表示部の解像度に応じて画素数を減少変換した複数の画像に基づいて負担の軽い処理で擬似的動画像を作成表示でき、しかも、外部表示装置には画像取得時のままの画素数の画像を送って擬似的動画像を高画質に作成表示できるようになる。
【０１３４】
また、本発明の請求項８に係る合成画像出力装置によれば、画像を撮影する撮影装置と、この撮影装置とは別体の画像処理装置と、前記撮影装置と画像処理装置とを接続する接続装置とからなる合成画像出力装置であって、前記撮影装置は、画像を撮影する画像撮影手段と、この画像撮影手段により撮影される画像に基づき複数の画像を取得する画像取得手段と、この画像取得手段により取得された複数の画像を前記画像処理装置へ送信する画像送信手段と、前記画像処理装置から送信された合成画像を前記接続装置を介して受信する合成画像受信手段と、この合成画像受信手段により受信された合成画像を表示する表示手段とを備え、前記画像処理装置は、前記撮影装置から送信された複数の画像を前記接続装置を介して受信する画像受信手段と、この画像受信手段により受信された複数の画像の中から移動している物体の画像を抽出する移動画像抽出手段と、この移動画像抽出手段により抽出された移動物体の画像について、前記画像受信手段により受信された背景画像上での移動方向を設定する移動方向設定手段と、前記画像受信手段により受信された複数の画像に基づき当該画像の背景画像を合成して作成する背景画像作成手段と、この背景画像作成手段により作成された背景画像に対して、前記移動画像抽出手段により抽出された移動物体の画像を、前記移動方向設定手段により設定された移動方向に応じて合成する移動画像合成手段と、この移動画像合成手段により背景画像に移動画像の合成された合成画像を前記撮影装置に送信する合成画像送信手段とを備えてなる。これにより、撮影装置で複数の静止画像を撮影し、接続装置を介して別体の画像処理装置に接続するだけで、当該画像処理装置の側で複数の撮影静止画像に基づいた完全な背景画像をベースとする擬似的動画像が作成されると共に、これを撮影装置の側で表示して見ることができる。
【０１３５】
よって、本発明によれば、静止画上の任意の物体を切り出して移動合成し動画表示する場合に、背景画像についても明確に再現した合成画像を作成することが可能になる合成画像出力装置および合成画像出力処理プログラムを提供できる。
【図面の簡単な説明】
【図１】本発明の実施形態に係る合成画像出力装置としての端末装置１０の電子回路の構成を示すブロック図。
【図２】前記合成画像出力装置の移動画像作成処理に伴う元の撮影静止画像Ａ，Ｂ，Ｃからの背景画像生成状態および移動画像抽出状態を示す図。
【図３】前記合成画像出力装置の移動画像作成処理に伴い作成された中間画像（途中画像）を含めた動画像表示状態を示す図。
【図４】前記合成画像出力装置の移動画像作成処理に伴いその移動方向を指定して作成された中間画像（途中画像）を含めた動画像表示状態を示す図。
【図５】前記合成画像出力装置の画像撮影処理を示すフローチャート。
【図６】前記合成画像出力装置の移動画像作成表示処理を示すフローチャート。
【図７】前記合成画像出力装置の移動画像作成表示処理に伴う指定方向画像作成処理を示すフローチャート。
【図８】前記合成画像出力装置の画像撮影処理に伴い３枚の車の走行画像を撮影し移動画像作成表示処理に伴い各中間（途中）画像を作成した場合の動画表示状態を示す図。
【図９】前記合成画像出力装置の移動画像作成表示処理に伴う指定方向画像作成処理での各変化部分画像（移動画像Ｍａ，Ｍｂ，Ｍｃ）から中間画像の生成および背景画像合成までの各画像処理状態を示す図。
【図１０】前記合成画像出力装置の画像撮影処理に伴い撮影された３枚の車の走行画像について合成動画像作成ための任意の移動方向Ｐを設定した状態を示す図。
【図１１】前記合成画像出力装置の移動画像作成表示処理に伴い合成動画像作成ための任意の移動方向Ｐを設定して各中間（途中）画像を作成した場合の動画表示状態を示す図。
【図１２】前記端末装置１０と外部ＰＣ４０とを接続して外部ＰＣ４０側でも合成動画像の作成表示を行う場合の画像処理を示すフローチャート。
【図１３】前記端末装置１０と外部ＰＣ４０とを接続して外部ＰＣ４０側でも合成動画像の作成表示を行う場合の外観構成を示す図。
【図１４】デジタルカメラ１０Ａと合成動画像の作成機能を有する外部ＰＣ４０とを接続して外部ＰＣ４０側で合成動作画像の作成を行わせる場合の画像処理を示すフローチャート。
【図１５】デジタルカメラ１０Ａと合成動画像の作成機能を有する外部ＰＣ４０とを接続して外部ＰＣ４０側で合成動作画像の作成を行わせる場合の外観構成を示す図。
【符号の説明】
１０  …端末装置（携帯電話，ＰＤＡ，デジタルカメラ）
１０Ａ…デジタルカメラ
１１  …ＣＰＵ
１２  …メモリ
１２ａ…通信・画像配信処理プログラム
１２ｂ…画像処理ワークエリア
１２ｂ１…撮影画像メモリ
１２ｂ２…背景画像メモリ
１２ｂ３…移動画像抽出メモリ
１２ｂ４…移動画像位置／方向テーブル
１２ｂ５…設定移動方向メモリ
１２ｂ６…中間画像メモリ
１３  …外部記録媒体
１４  …記録媒体読取部
１５  …電送制御部
１６  …入力部
１７ａ…画像入力部
１７ｂ…画像出力部
１８  …近距離通信部
１９  …ＧＰＳ
２０  …表示部
２１  …デジタルカメラ（部）
２２  …画像印刷機
３０  …Ｗｅｂサーバ
４０  …外部ＰＣ（ユーザ端末）
Ｎ  …通信ネットワーク（インターネット）
Ｍ  …変化部分画像（移動画像）
【図１】
2005020607.tif 000003
【図２】
2005020607.tif 000004
【図３】
2005020607.tif 000005
【図４】
2005020607.tif 000006
【図５】
2005020607.tif 000007
【図６】
2005020607.tif 000008
【図７】
2005020607.tif 000009
【図８】
2005020607.tif 000010
【図９】
2005020607.tif 000011
【図１０】
2005020607.tif 000012
【図１１】
2005020607.tif 000013
【図１２】
2005020607.tif 000014
【図１３】
2005020607.tif 000015
【図１４】
2005020607.tif 000016
【図１５】
2005020607.tif 000017